(57)【特許請求の範囲】
【請求項１】
カーテン開閉用ワイヤの一端を巻取り巻戻す第１の円筒スリーブと、
前記カーテン開閉用ワイヤの他端を巻取り巻戻す前記第１の円筒スリーブとは別体の第２円筒スリーブと、
駆動軸に固着具によって固着可能で、前記第１・第２の円筒スリーブとそれぞれ個別に結合・離脱可能とされたクラッチと、
前記第１・第２の円筒スリーブの前記クラッチを備えない開放端部を閉鎖する閉鎖部材と、
から構成されたカーテン開閉用ドラムにおいて、
前記閉鎖部材は、その軸心に角孔が形成されていて駆動軸に対して回動不能であるが、その周面が平滑に形成されていて前記第１・第２の円筒スリーブの間に内嵌されて両者を回動自在に閉鎖し、
前記クラッチは、前記第１の円筒スリーブに対応して形成された結合・離脱機構を備えた第１のクラッチ部材と、該クラッチ部材とは独立した別個の前記第２の円筒スリーブに対応して形成された結合・離脱機構を備えた第２のクラッチ部材とから構成され、
前記各クラッチ部材は、連結された前記第１・第２の円筒スリーブの両端部に内嵌めされ、前記各クラッチ部材のスリーブは、その軸心に角孔が形成されており、駆動軸が挿通された後軸方向への移動を規制されて駆動軸と一体化され、その周表面には固着具先端部を受け入れる陥凹部が周方向に多数形成され、前記クラッチ部材のスリーブと前記円筒スリーブを一体化してクラッチを結合し、また両者を別体化してクラッチを離脱して、クラッチが離脱した円筒スリーブは前記駆動軸に対して回動自在とされていることを特徴とするカーテン開閉用ドラム。
【請求項２】
カーテン開閉用ワイヤの一端を巻取り巻戻す第１の円筒スリーブと、
前記カーテン開閉用ワイヤの他端を巻取り巻戻す前記第１の円筒スリーブとは別体の第２円筒スリーブと、
駆動軸に固着具によって固着可能で、前記第１・第２の円筒スリーブとそれぞれ個別に結合・離脱可能とされたクラッチと、
前記第１・第２の円筒スリーブの前記クラッチを備えない開放端部を閉鎖する閉鎖部材と、
から構成されたカーテン開閉用ドラムにおいて、
前記クラッチは、前記第１の円筒スリーブに対応して形成された結合・離脱機構を備えた第１のクラッチ部と、前記第２の円筒スリーブに対応して形成された結合・離脱機構を備えた第２のクラッチ部と、を備える一個のクラッチ部材から構成されており、該クラッチ部材は、前記第１・第２の円筒スリーブの間に内嵌めされ、
前記閉鎖部材は、その軸心に角孔が形成されていて駆動軸に対して回動不能であるが、その周面が平滑に形成されていて連結された前記第１・第２の円筒スリーブの両端部に内嵌されて両者を回動自在に閉鎖し、
前記クラッチ部材のスリーブは、その軸心に角孔が形成されており、駆動軸が挿通された後軸方向への移動を規制されて駆動軸と一体化され、スリーブ周表面には固着具先端部を受け入れる陥凹部が周方向に多数形成され、前記クラッチ部材のスリーブと前記円筒スリーブを一体化してクラッチを結合し、また両者を別体化してクラッチを離脱して、クラッチが離脱した円筒スリーブは前記駆動軸に対して回動自在とされていることを特徴とするカーテン開閉用ドラム。
【発明の詳細な説明】
【技術分野】
【０００１】
本発明は、カーテン開閉用ドラム及びカーテン開閉用装置に関する。より詳しくは、例えば温室の保温、遮光、吸湿等を目的として、薄膜状のカーテンを開閉しているが、本発明は、カーテン開閉用ドラム及びそれを用いたカーテン開閉用装置に関するものである。
【背景技術】
【０００２】
従来、薄膜状のカーテンを地上２．３〜２．４ｍ程度の高さ位置に、水平状あるいは棟部を頂点とする山形状に、保温、遮光、吸湿用のカーテンを開閉している。
これらのカーテンを開閉するためのカーテン開閉用装置は、多くの場合図１に示されるように、カーテンの一端付近に設けた駆動ドラムと他端付近に設けた滑車との間にカーテン開閉用ワイヤを無端環状に掛け廻し、駆動ドラムの回転に伴って巻取りと巻戻し方向に相対向して移動するカーテン開閉用ワイヤにカーテンの開閉端を固定して、カーテンを開閉している。このカーテンは相当の重量があるため、これを牽引するカーテン開閉用ワイヤは、それ自体経年変化で伸びることから、駆動ドラム付近のカーテン開閉用ワイヤに弛みやゆるみが生じる。
また、カーテンの荷重、作物の先端部を上方に引っ張るための作物誘引ワイヤの荷重、風の影響、地震力等によって、温室谷部に位置する柱の上部が温室の棟方向に引き寄せられるため生じる温室の枠組みの変形等の原因により、同じく駆動ドラム付近のカーテン開閉用ワイヤに弛みやゆるみが生じることがある。
【０００３】
このため、実開昭６３−１０１０５８号公報に記載された駆動ドラム６１は、図４に示されるように、その両端に形成されたフランジ６２に複数のカーテン開閉用ワイヤ６４の一端を固定するための複数の貫通孔６３を穿設し、上述の理由により駆動ドラム６１付近のカーテン開閉用ワイヤに弛みやゆるみが生じたとき、巻取り回数の少ない側のワイヤ先端の固定を外し、ワイヤ６４を緊張させた後に再度その先端を複数の貫通孔６３に挿通して固定している。このようなワイヤ６４に弛みやゆるみが生じたときの補正作業は効率が悪く、面倒なものである。また、ワイヤ６４に付与される緊張度は、特別の器具も無く人力によってのみ与えられるので、所定の緊張度に到達させることが容易でない。
【特許文献１】実開昭６３−１０１０５８号公報
【０００４】
以上のことから、カーテン開閉用ワイヤ自体の経年変化による伸びや温室の枠組みの変形等を原因とするワイヤに弛みやゆるみが生じたときの補正作業を不要とするべく、ワイヤ緊張度を自動的に所定の緊張度に保つ装置として張力保持部材を設ける発明が実開昭５９−３６９６１号公報に提案されている。
図５、６を参照して、この張力保持部材７０は、温室の骨組材等に取り付けられた支持腕部材７１に固定されるシリンダー部７２内に上下動自在にピストン部７３が収納され、該ピストン部７３に一端が固定された棒状部７４が前記シリンダー部７２の一端から外部に突出して、二個一対の滑車８２、８２が一体に固定されるとともに、前記シリンダー部７２の一端の底部７６とピストン部７３の間に引張弾力が付勢されたばね部材７７が弾圧収納され、棒状部７４に引張弾力が付与された構成からなっている。
このシリンダー部７２の端部７８は、温室の骨組材等に固定される支持腕材７１に固定され、前記棒状部７４の下端部には支持枠７９が設けられており、てこ支点軸８０によって揺動自在にてこ支持杵８１が連結されている。てこ支持杵８１の両端部には、二個一対の滑車８２の支持部材８３が支軸８４、８４によって夫々揺動自在に連結されている。
【０００５】
図５に示されるように、一端と他端を逆巻状にカーテン開閉用ドラム６１に固定されたカーテン開閉用ワイヤ６４は、温室の一側壁部、中央部、他側壁部にそれぞれ固定された滑車８５ａ、８６ａ、８７、８６ｂ、８５ｂに順に掛け廻されて、無端循環するよう配設されており、また、２枚の温室用カーテン用の開閉装置においては、その基端は温室の両側壁部に、その先端はそれぞれＡ方向、Ｂ方向に無端循環移動するワイヤ６４に固定されている。
【特許文献２】実開昭５９−３６９６１号公報
【０００６】
しかしながら、ワイヤ緊張度を自動的に所定の範囲に保つ装置としての前記張力保持部材７０のばね部材７７には、弾性変形の範囲に限界があることから、その範囲を超えるワイヤの弛みやゆるみに対しては調整不能となる。これに対応するため、長期間に亘って使用されても伸びにくい材質のワイヤを選択使用したり、温室の骨組みの変形を起こしにくい高品質の材料を選択して使用したり、骨組み強度を増大しようとすると、コストアップを免れない。
【発明の開示】
【発明が解決しようとする課題】
【０００７】
以上のように、温室においてカーテンを開閉するためにカーテン開閉装置を設置した場合、ワイヤに弛みやゆるみが生じたときの補正作業は効率が悪く、面倒なものであり、また、所定のワイヤ緊張度に達することが手作業では容易でない。
また、ワイヤ緊張度を自動的に所定の緊張度に保つ装置を導入した場合であっても、張力保持部材のばね部材の弾性変形の範囲を超えるワイヤの弛みやゆるみに対しては調整不能となる。このため、高品質のワイヤを選択使用したり、温室の骨組みの変形が起こりにくい品質の材料を選択したり、骨組み強度を向上しようとすると、高コストとなることを避けられない。
【０００８】
以上の実状に鑑み、本発明は前記従来技術の欠点を克服することを目的とするものであり、極めて簡易な構成により、簡単に温室に保温用等の温室用カーテンを開閉できるようにするとともに、低コストのカーテン開閉用装置及びそれに用いるカーテン開閉用ドラムを提供することにある。
【課題を解決するための手段】
【０００９】
上記の目的を達成するため、この発明は、カーテン開閉用ドラムを、カーテン開閉用ワイヤの一端を巻取り巻戻す第１のドラムと、前記カーテン開閉用ワイヤの他端を巻取り巻戻す第１のドラムとは別体の第２のドラムと、駆動軸に固着具によって固着可能で、前記第１のドラム及び前記第２のドラムとそれぞれ個別に結合・離脱可能とされたクラッチとから構成して、前記クラッチが離脱したドラムは前記駆動軸に対して回動自在となるようにした。
【００１０】
また、この発明は、上記したカーテン開閉用ドラムにおいて、前記第１のドラムと前記第２のドラムとを円筒スリーブから構成し、前記クラッチを備えない開放端部には、前記駆動軸に回動不能に挿通された閉鎖部材により閉鎖することを特徴としている。
【００１１】
さらに、この発明は、上記したカーテン開閉用ドラムにおいて、前記クラッチを、前記第１のドラムに対応して形成した結合・離脱機構を備えた第１のクラッチ部材と、該クラッチ部材とは独立した別個の前記第２のドラムに対応して形成した結合・離脱機構を備えた第２のクラッチ部材とから構成したことを特徴としている。
【００１２】
さらに、この発明は、上記したカーテン開閉用ドラムにおいて、前記クラッチを、前記第１のドラムに対応して形成した結合・離脱機構を備えた第１のクラッチ部と、前記第２のドラムに対応して形成した結合・離脱機構を備えた第２のクラッチ部と、を備える一個のクラッチ部材から構成したことを特徴としている。
【００１３】
さらに、この発明は、上記したカーテン開閉用ドラムにおいて、前記第１のロールと前記第２のロール及び前記クラッチを含むカーテン開閉用ドラム全体を、該ドラムの軸を含む面において複数個に分割したことを特徴としている。
【００１４】
さらに、この発明は、上記したカーテン開閉用ドラムにおいて、前記ドラムにドラム回転工具を連結する工具連結部を具備させたことを特徴としている。
【００１５】
さらにまた、この発明は、温室のカーテン開閉装置を、一端及び他端が駆動原により正逆回転するカーテン開閉用ドラムに捲回固定され、中間部が温室の構造部材に固定された軌道変換器に巻き掛けられて、無端環状軌道を往復動するカーテン開閉用ワイヤと、一端が温室の構造部材に固定され、他端が前記カーテン開閉用ワイヤに固定具により固定された少なくとも温室上方を開閉するカーテンとから構成するとともに、前記カーテン開閉用ドラムを、カーテン開閉用ワイヤの一端を巻取り巻戻す第１のロールと、前記カーテン開閉用ワイヤの他端を巻取り巻戻す第１のロールとは別体の第２のロールと、駆動軸に固着具によって固着可能で、前記第１のロール及び前記第２のロールとそれぞれ個別に結合・離脱可能とされたクラッチとから構成して、前記クラッチが離脱したロールは前記駆動軸に対して回動自在となるようにした。
【００１６】
さらに、この発明は、請求項７に記載された温室のカーテン開閉装置において、前記カーテン開閉用ドラムを、温室の棟方向に延設されて駆動モータによって回転される駆動軸に固定するとともに、前記軌道変換器を、温室の一側壁上部の構造部材に固定した往・復路用の二個一対の滑車と、温室の他側壁上部の構造部材に固定した往復路反転用の一個の滑車とから構成することを特徴としている。
【発明の効果】
【００１７】
この発明によれば、カーテン開閉用ドラムを、それぞれ別体とした第１のドラムと第２のドラムとから構成して、クラッチがそれぞれ個別に結合・離脱可能とされているので、クラッチが離脱したドラムは駆動軸に対して回動自在となるから、カーテン開閉用ドラム付近のカーテン開閉用ワイヤに弛みやゆるみが生じたときは、ワイヤ先端の固定を外してワイヤを緊張させた後に再度その先端を複数の貫通孔に挿通して固定する作業に代えて、クラッチを離脱させてドラムをカーテン開閉用ワイヤの巻取り方向へ回転させるだけでワイヤの緊張度を高めることができるので、ワイヤに弛み等が生じたときの補正作業の効率を格段に向上することができる。また、ワイヤに付与される緊張度は、駆動軸に対してフリーとなっているドラムの回転トルクを利用してワイヤを巻き取ることで容易に所定の緊張度を付与することができる。
さらに、ワイヤが弛めば限度無く更なる巻取りが可能となって、材料コストを低減しつつ簡便にワイヤの弛み等を調整することができる。
【００１８】
この発明によれば、第１のドラムと第２のドラムとを円筒スリーブから構成し、クラッチを備えない開放端部には、駆動軸に回動不能に挿通された閉鎖部材を設けることにより閉鎖しているので、第１のドラムと第２のドラムを簡易な構造で安価に提供することができる。
【００１９】
この発明によれば、クラッチを、第１のドラムに対応して形成した結合・離脱機構を備えた第１のクラッチ部材と、該クラッチ部材とは独立した別個の、第２のドラムに対応して形成した結合・離脱機構を備えた第２のクラッチ部材とから構成したので、第１及び第２のクラッチ部材を対称形とすることにより、部品点数を少なくした鋳型を１種類としつつ小型化することができるから、製造コストを低減できる。
【００２０】
この発明によれば、クラッチを、第１のドラムに対応して形成した結合・離脱機構を備えた第１のクラッチ部と、第２のドラムに対応して形成した結合・離脱機構を備えた第２のクラッチ部と、を備える一個のクラッチ部材から構成したので、高コストの主要部品の点数を削減することができる。
【００２１】
この発明によれば、前記第１のロールと前記第２のロール及び前記クラッチを含むカーテン開閉用ドラム全体を、該ドラムの軸を含む面において複数個に分割しているので、カーテン開閉用ドラムを駆動軸の端部にて挿通した後取付け位置まで移動させることなく、所定の取付け位置に容易に取付けることができる。また、各請求項に係るカーテン開閉用ドラムは、クラッチ、ドラム、閉鎖部材等の数個の部品を現場で手順にしたがって組み立てながら取付けるものであるから、該部品の挿通手順を間違えたときは、今後組立てる予定の部品を全て駆動軸から外して必要な部品を挿通し直す必要があるが、この発明によればその必要がない。
【００２２】
この発明によれば、前記ドラムにドラム回転工具を連結する工具連結部を具備させているので、付属ドラム回転工具を用いることができるから、ドラムを直接手で回転させるのに比べ小さな力で回転させ得る。
また、カーテン開閉用ワイヤのテンションをドラムの回転数と回転角度により数値的、視覚的に正確に調整し得て、微妙な調整も可能となる。
【００２３】
この発明によれば、温室のカーテン開閉装置を、一端及び他端が駆動原により正逆回転するカーテン開閉用ドラムに捲回固定され、中間部が温室の構造部材に固定された軌道変換器に巻き掛けられて、無端環状軌道を往復動するカーテン開閉用ワイヤと、一端が温室の構造部材に固定され、他端が前記カーテン開閉用ワイヤに固定具により固定された少なくとも温室上方を開閉するカーテンとから構成するとともに、前記カーテン開閉用ドラムを、請求項１に係るものとしたので、ワイヤが弛んだときの高所における作業を容易可能、簡素化でき、ひいてはその作業の安全性を高めることができる。
【００２４】
この発明によれば、請求項５に記載された温室のカーテン開閉装置において、前記カーテン開閉用ドラムを、温室の棟方向に延設されて駆動モータによって回転される駆動軸に固定するとともに、軌道変換器を、温室の一側壁上部の構造部材に固定した往・復路用の二個一対の滑車と、温室の他側壁上部の構造部材に固定した往復路反転用の一個の滑車とから構成したので、駆動軸を棟木と直交する方向に設けたものに比し、ワイヤの長さを短くすることにより、ワイヤ自体の伸び量を小さくして、ワイヤの弛み等が発生し難くすることができる。
【実施例】
【００２５】
図１は、カーテン開閉装置を装備した温室の一部を仮想的に示す温室の斜視図、図２は、本発明に係るカーテン開閉用ドラムの実施例の斜視図、図３ＡＢは、本発明に係るカーテン開閉用ドラムの分解正面図、同左側面図、図４は、従来のカーテン開閉用ドラムの斜視図、図５は、その他の従来のカーテン開閉装置を備えた温室の正面図、図６は、その張力保持部材の一部縦断側面図である。
【００２６】
図１乃至図３Ｃを参照して、本発明に係るカーテン開閉装置とそれに用いるカーテン開閉用ドラムについて詳細に説明する。
１は本発明のカーテン開閉装置を適用する温室を概略的に示すものであり、２は柱、２’は温室の棟木、桁、梁、合掌等の構造部材を仮想的に示す。
カーテン開閉装置３は、カーテン開閉用ドラム６と、温室内に架設された複数の滑車２７、２８に掛け廻されて無端循環するカーテン開閉用ワイヤ１０と、開閉端をこのワイヤ１０に固定されて温室内の上部と側部を被覆し開放するカーテン８とから構成されている。
【００２７】
カーテン開閉用ドラム６は、減速装置を設ける等により減速機能を有する正逆回転可能な駆動モータ４によって正逆回転駆動される駆動軸５に固定されている。駆動軸５は、桁材の高さよりも高い位置で合掌、垂木、母屋等の部材に吊り下げられた軸受９に支持され、温室１の棟方向に延設されて駆動モータ４によって正逆回転される。
７はカーテン保持用のワイヤである。
【００２８】
カーテン開閉用ワイヤ１０は、一端及び他端が、駆動原である駆動モータ４により正逆回転するカーテン開閉用ドラム６に捲回固定され、温室１の一側壁上部の構造部材２’等に固定した往・復路用の二個一対の滑車２７，２７と、温室の他側壁上部の構造部材２’等に固定した軌道変換器である、往復路反転用の一個の滑車２８に掛け廻されて無限帯とされている。
【００２９】
図２、図３Ａ乃至図３Ｃを参照して、カーテン開閉用ドラム６の構造について詳述する。
カーテン開閉用ドラム６は、主として２個の円筒スリーブ１５、１６と、これら円筒スリーブの間に内嵌されて両者を回動自在に閉鎖する閉鎖部材２０と、連結された円筒スリーブ１５、１６の両端部に設けられるクラッチ部材１１、１１とから構成されている。
【００３０】
クラッチ部材１１、１１のスリーブ軸心には、図３Ｂに示されるように、駆動軸５を挿通する角孔１８が形成されており、駆動軸５を挿通した後ネジ孔１３にボルト（図示省略）を螺合することにより、クラッチ部材１１は軸方向への移動を規制されて駆動軸５と一体化される。
【００３１】
クラッチのスリーブ周表面には、蝶ネジ２２や６角ボルト２１の先端部を受け入れるための陥凹部１２が周方向に多数形成されている。１４はフランジで、その外周面は円筒スリーブ１５，１６の外周面と面一である。
クラッチ部材１１のスリーブは、前記円筒スリーブ１５，１６に内嵌され、先ず蝶ネジ２２にて仮止めし、その位置でよければ６角ボルト２１にて本止めして該スリーブと一体化される。
クラッチ部材のスリーブと円筒スリーブを一体化し、また別体化することが、クラッチの結合・離脱機構を構成している。
クラッチ１１，１１が離脱した円筒スリーブ１５、１６は前記駆動軸に対して回動自在となる。
【００３２】
円筒スリーブ１５は、カーテン開閉用ワイヤ１０の一端を、円筒スリーブに設けた切込みを引き上げ形成したワイヤ端部固定片１７に結び付ける等して固定し、正回転にて巻取り、逆回転にて巻戻す第１のドラムである。
円筒スリーブ１６は、カーテン開閉用ワイヤ１０の他端を、同様のワイヤ端部固定片１７に結び付ける等して固定し、正回転にて巻戻し、逆回転にて巻取る第２のドラムである。
第１のドラム１５と第２のドラム１６とで、カーテン開閉用ドラム６が構成される。
【００３３】
閉鎖部材２０は、その軸心に、クラッチ部材１１と同様の角孔が形成されていて、駆動軸５に対して回動不能であるが軸方向には移動自在である。また、周面は平滑に形成されているから、第１、第２のドラムである円筒スリーブ１５，１６とは常時回動自在であり、軸方向には該スリーブ１５、１６を環状凸部２４にて規制するものである。環状凸部２４の周表面は、円筒スリーブ１５，１６の外周面と面一である。
【００３４】
この実施例においては、クラッチ１１、１１を別体のものとして２個の部材から構成しているが、フランジ１４を挟んでその両側にスリーブを設けた単体のものであってもよい。この構造のクラッチ１１は、この実施例の閉鎖部材２０の位置、すなわち、前記第１のドラムである円筒スリーブ１５と前記第２のドラムである円筒スリーブ１６の間に取り付けられ、一方閉鎖部材２０はフランジ２４の片側にスリーブが形成された２つの部材からなり、クラッチを介して連結された両スリーブ１５、１６の外端部に取り付けられることとなる。勿論このように構成しても、クラッチとしての機能に変化はない。
【００３５】
またこの実施例では、第１のドラム１５、第２のドラム１６、クラッチ１１及び閉鎖部材２０の部品からなるカーテン開閉用ドラム６は、周方向において分割されていないが、カーテン開閉用ドラムをその軸を含む面で２以上の複数個のピースに分割してもよい。
これらピース同士を接合する構造としては、図示を省略するがピースの軸方向・周方向端部、例えば２分割ピースの４隅部、に接合用突部を形成し、一方のピースの突部と対応するピースの突部を対向させてボルト・ナット等の緊締具にて緊締すればよい。
カーテン開閉用ドラムを２分割した場合は、一方の分割部をヒンジ構造とすることもできる。
【００３６】
次いで、温室用カーテンについて説明する。
このカーテン８は、水平状に展開して温室内上部を被覆する水平被覆部と、この被覆部から延伸して垂直状に展開して温室妻面を被覆する妻面被覆部とを有している。
棟方向に延びるカーテン８の基部は、温室の棟方向の構造部材２’に固定されている。２６は、カーテン８の先端部を止着された案内桿２５に取り付けられ、前記カーテン開閉用ワイヤ１０をクリップするカーテンクリップである。
７はカーテンの自重を支持する棚線である。
【００３７】
２枚張りカーテンの開閉装置３は、案内桿２５を二本一対備え両者にカーテンクリップ２６を設けているが、一方の案内桿２５用のクリップ２６を固定クリップとし、他方のカーテンクリップ２６を所定値以上の負荷がかかったとき開閉用ワイヤ１０をスリップさせて、カーテン開閉装置の破損を防止することができるアンチブロッキングシステムを採用したものとしてもよい。
この実施例のカーテン開閉装置３は、水平方向に開閉するものとしているが、棟木下方を高くした山形状に開閉する形式としてもよい。また、４枚のカーテンを開閉する４枚張りカーテンの開閉装置としてもよい。このとき案内桿２５は４本設けられ、カーテンの基端は、温室中央部にも固定される。要は温室上面を完全に被覆し、完全に開放できればよい。
【００３８】
カーテン開閉用ワイヤ１０は、その一端が、減速装置を付設した駆動モータ４の正回転によって巻取り、逆回転によって巻戻す第１のドラム１５のワイヤ端部固定片１７に結び付けて固定され、また他端は、駆動モータ４の正回転によって巻戻し、逆回転によって巻取る第２のドラム１６のワイヤ端部固定片１７に固定されている。
そして、無端状の開閉用ワイヤ１０の途中は、温室の一側壁上部の構造部材２’に固定された、ワイヤの軌道を折り返し変換するための往路用と復路用の二個一対の滑車２７、２７に掛け廻され、その先で温室の他側壁上部の構造部材２’に固定された往復路反転用の単一の滑車２８に掛け廻され、無端循環路を形成している。案内桿２５、２５はこの無端環状軌道を往復動するワイヤ１０の適宜箇所に固定されて、棚線７上を移動してカーテン８を開閉する。
【００３９】
本発明のカーテン開閉装置３を温室内に新規に設置する場合の、カーテン開閉用ワイヤ１０を初期に張設するときや、既設のワイヤが弛んだりゆるんだときは、カーテン開閉用ワイヤ１０の巻取数の少ない方の円筒スリーブ１５の６角ボルト２１と蝶ネジ２２を緩めてその先端部の陥凹部１２との係合を外し、クラッチ部材１１と円筒スリーブ１５の結合を解除してクラッチ１１を離脱させる。
図３Ａのドラムに形成された孔３０は、図３Ｃに示されたドラム回転工具２９を連結するための、請求項６に係る発明の工具連結部を構成している。
この工具連結部３０は、ドラム回転工具２９をドラムに連結可能なものであれば、ドラム表面から突出する構造のものであってもよいが、巻き取られるワイヤの邪魔にならないように、図示したような孔や陥凹部のような構造のものが好ましい。
そして、このフリーとなったスリーブ１５の孔３０にドラム回転工具２９の先端を挿入した状態でドラムを回動させて、開閉用ワイヤ１０の巻取りを行い、ワイヤ１０に所定の緊張感が出た段階で、蝶ネジ２２の仮止めを経た６角ボルト２１による本止めにより、陥凹部１２に係合させてクラッチ１１をスリーブ１５に結合させる。このような簡単な操作によってカーテン開閉用ワイヤ１０を新規に張設したり、ワイヤの弛みやゆるみを修復することができる。
【００４０】
このように、カーテン開閉用ドラム６に工具連結部３０を形成し、付属するドラム回転工具２９を用いれば、ドラムを直接手で回転させるのに比べ小さな力で回転させ得る。
また、図４に示される従来のドラム６１の場合、作業者がワイヤを手で手繰り寄せながら、その張り具合を作業者自身の経験と勘によって決定して、その端部をドラムの孔６３に固定していた。さらに、図１に示されるように、温室の間口部には通常、垂直方向に垂れ下がる垂下部が存在してカーテン開放時の抵抗が強いため、この垂下部の存在する温室の間口部に位置するカーテンのカーテン開閉用ワイヤ１０のテンションは、その他のワイヤのそれより微妙に強く調整する必要がある。
しかし、上述したドラムの工具連結部と付属工具のコンビネーションにより、ワイヤのテンションをドラムの回転数と回転角度により数値的、視覚的に正確に調整し得て、微妙な調整も可能となる。
なお、ドラムに工具連結部を備えず、ドラム回転工具を付属しないカーテン開閉用ドラムにあっては、作業者がドラムを手で直接回動する。
【００４１】
クラッチ部材１１または閉鎖部材２０に刻印された目印１９は、クラッチ部材１１のネジ孔１３の周方向位置を指示するものである。そこで、クラッチ部材１１と駆動軸５との結合を外すときは、円筒スリーブ１５に穿設された孔２３を目印１９の位置に合わせれば、ボルト（図示省略）のヘッドが孔２３に出現する。
【図面の簡単な説明】
【００４２】
【図１】本発明に係るカーテン開閉装置を装備した温室の一部を仮想的に示す温室の斜視図である。
【図２】本発明に係るカーテン開閉用ドラムの実施例の斜視図である。
【図３Ａ】図３Ａは、本発明に係るカーテン開閉用ドラムの分解正面図である。
【図３Ｂ】図３Ｂは、本発明に係るカーテン開閉用ドラムの分解左側面図である。
【図３Ｃ】図３Ｃは、本発明に係るドラム回転工具である。
【図４】従来のカーテン開閉用ドラムの斜視図である。
【図５】その他の従来のカーテン開閉装置を備えた温室の正面図である。
【図６】図５示された張力保持部材の一部縦断側面図である。
【符号の説明】
【００４３】
１  温室
２  構造部材
３  カーテン開閉装置
４  駆動モータ
５  駆動軸
６  カーテン開閉用ドラム
８  カーテン
１０  カーテン開閉用ワイヤ
１１  クラッチ部材
１５  第１のドラム
１６  第２のドラム
６１  従来例のカーテン開閉用ドラム
７０  従来例の張力保持部材
【図１】
0004807840.tif 000002
【図２】
0004807840.tif 000003
【図３Ａ】
0004807840.tif 000004
【図３Ｂ】
0004807840.tif 000005
【図３Ｃ】
0004807840.tif 000006
【図４】
0004807840.tif 000007
【図５】
0004807840.tif 000008
【図６】
0004807840.tif 000009